Podtech/llm-jp-corpus-v4-ja_patent huggingface dataset:
(57)【要約】      （修正有）【課題】不成形の樹脂製品を確実に色・素材毎に分類する。【解決手段】不成形の樹脂製品を吸引ドラムで位置決めを行い重なり等をなくして等ピッチで整列させ１列化を行い、１列化されたドラム上で色・素材を可視光センサー、赤外線素材分類装置で分類する。【選択図】図１
0003119874.tif 000002
【実用新案登録請求の範囲】
【請求項１】
形の異なる樹脂製品を色分け、素材分けする装置に於いて、
１．多雑の製品を１列化のためのエアー吸着する１列化ドラム部
２．円周上に色検出、素材検出をする検出部を含む第１検査ドラム部
３．裏側を検査する場合は、円周上に色検出、素材検出をする検出部を含む第２検査ドラム部
４．分類、排出部を含む分類選別ドラム
以上の構成からなる樹脂製品分類装置
【考案の詳細な説明】
【考案の詳細な説明】
【技術分野】
【０００１】  本考案は、分類技術分野に属する
【背景技術】
【０００２】  従来、不成形であるため、分類計測は不可能で、人間が手選別している。これはリサイクルの樹脂分類場に行くとベルトコンベヤで搬送される樹脂製品を多数の人が両側から、手選別を現在もしている。
【考案が解決しようとする課題】
【０００３】  手選別をやめて、色は可視光線カメラ、素材分類は赤外線素材分類機を使用したい。しかし、不成形のため位置決め不確定及び重なり等の障害を除きたい。
【課題を解決するための手段】
【０００４】  不成形の位置決めするため、吸引ドラムを作り１列化を計る。１列化された後次のドラムに持ちかえ、ドラム円周上に樹脂製品を吸引してその円周上で色検出と素材検出を行う。次に、裏側が別の色、別の素材の場合があるため、次のドラムに持ちかえて色検出と素材検出を行う。そして、色検出と素材検出の検出結果をもとに最後のドラムで人手をかけずに分類する。
【実施の形態】
【０００５】  今案は色々な製品に今回は食品トレーの回収、分類、再利用に使用する方法を記す。
先ず、図１に於いて回収トレーを回収箱１に投入する。実際１日８ｔ投入している工場がある。回収箱に投入されたトレーを上昇コンベヤ３で上昇させ、１列化ドラム４の上部に落とし一定間隔でエアー吸引された１列化ドラム４に吸引させ一定間隔に整列されたトレーを第１検査ドラム５に移し、ここで片面を色と素材を検出し、次の第２検査ドラム６でもう片面の色と素材を検出する。それぞれの検出・分類部で判定されたデータをもとに色素材総合判定部で選別し、分類選別ドラム７で分類排出を行う。
尚、最初の１列化ドラム４で吸引から外れたトレーは再び回収箱１に戻し再整列させる。
【考案の効果】
従来人手作業で行ってきた分類作業を自動化することにより選別の安定化、高速化が可能で経済効果は大である。
【図面の簡単な説明】
【図１】実施説明図
【図２】分類システム図
【符号の説明】
１        回収箱
２        投入不成形樹脂製品
３        上昇コンベヤ
４        １列化ドラム
５        第１検査ドラム
６        第２検査ドラム
７        分類選別ドラム
８        不成形樹脂製品
８ａ          選別１製品
８ｂ          選別２製品
８ｃ          選別３製品
８ｄ          選別４製品
８ｅ          選別５製品
９        吸引窓
１０      排出窓
１１ａ        第１検査可視光カメラ部
１１ｂ        第２検査可視光カメラ部
１２ａ        第１検査赤外線検出部
１２ｂ        第２検査赤外線検出部
１３ａ        選別１排出部
１３ｂ        選別２排出部
１３ｃ        選別３排出部
１３ｄ        選別４排出部
１３ｅ        選別５排出部
１４ａ        第１検査色検出部
１４ｂ        第２検査色検出部
１５ａ        第１検査素材分類部
１５ｂ        第２検査素材分類部
１６          色・素材総合判定部
【図１】
0003119874.tif 000003
【図２】
0003119874.tif 000004
(57)【要約】      （修正有）【課題】肌が縫製部分の摩擦により傷んだり、脱いだときに縫製の型が腹部に残って容姿を損なうことがないパンティストッキングの縫製を提供する。【解決手段】股上部分の縫製を中表、もしくは裏表をなくする。【選択図】図１
0003119873.tif 000002
【実用新案登録請求の範囲】
【請求項１】
腹部に縫製の型が付きにくくするため股上を中表に縫製したパンティストッキング。
【考案の詳細な説明】
【技術分野】
【０００１】  この考案は、パンティストッキングの縫製に関する。
【背景技術】
【０００２】  従来のパンティストッキングは、図２に示すように、股上とつま先部分の縫製が外表になったものである。
【考案の開示】
【考案が解決しようとする課題】
【０００３】しかしながら、以上の技術によれば、腹部に縫製部分の型が付き不具合を生じる場合がある。
そこで、この発明は、腹部に縫製の型が付きにくいパンティストッキングを提供することを課題とする。
【課題を解決するための手段】
【０００４】  以上の課題を解決するために、この考案は、股上の縫製を中表にすることを特徴とするパンティストッキングである。
【考案の効果】
【０００５】  この考案によれば、パンティストッキングの股上の縫製を中表にしたことで、腹部に縫製の型が付くことを防げる。
【考案を実施するための最良の形態】
【０００６】  この考案の一実施形態を、図１に示す。
パンティストッキングは、股上部分の縫製のみ中表とする。タグを付ける場合は、パンティストッキングの内側に付ける。【０００７】「実施形態の効果」
この実施形態によれば、パンティストッキングの縫製部分の摩擦により腹部の肌が傷んだり、脱いだときに縫製の型が残って容姿を損なうこともない。【０００８】「他の実施形態」
図１の実施形態では、股上の縫製が中表であったが、他の実施形態では、股上の縫製が裏表ないものでも良い。
【図面の簡単な説明】
【０００９】
【図１】この考案の一実施形態を示す斜視図である。
【図２】従来技術を示す斜視図である。
【符号の説明】
【００１０】  １  パンティストッキング本体  ２  股上縫製部分（中表）
３  股上縫製部分（外表）  ４  つま先縫製部分（外表）  ５  タグ（内側）
【図１】
0003119873.tif 000003
【図２】
0003119873.tif 000004
(57)【要約】      （修正有）【課題】酸化度を低減した環境に優しい排気、界面活性剤や薬品を低減した環境にやさしい洗浄水、酸化性の低い生体に優しい還元電位水をコンパクトな省エネ製造で、より高濃度に還元ガスを溶存混合可能な気液混合装置の提供。【解決手段】ポンプ１の液吸込部２に気ガス注入口３を設け、液吐出口４の仕切弁５と圧力調整弁８の間に直径２ｍｍ〜５ｍｍの貫通孔のオリフィス６を内装したオリフィスミキサー７を設けた事を特徴とする気液混合装置。【選択図】図１
0003119872.tif 000002
【実用新案登録請求の範囲】
【請求項１】
ポンプの液吸込部に気ガス注入口を設け、液吐出口の仕切弁と圧力調整弁の間に直径２ｍｍ〜５ｍｍの貫通孔のオリフィスを内装したオリフィスミキサーを設けた事を特徴とする気液混合装置
【考案の詳細な説明】
【技術分解】
【０００１】本考案は、液体に気ガスを溶解する装置に関するものである。
【背景技術】
【０００２】環境時代の現在は薬品使用を低減した水浄化や洗浄水や除菌水に、オゾン水や電解アルカリイオン水や水素水等さまざまな機能水があり、機能水の生成には電気分解とミキシングがある。
【考案の開示】
【考案が解決しようとする課題】
【０００３】従来機能水製造法の電気分解では酸性水として約半量は捨ててしまう無駄が生じる。ミキシングではガス透過膜モジュール混合があるが溶存水素濃度０．５ｐｐｍ程度とガス溶解濃度上限が低い。固定式の衝撃分散型ミキサーや微細メッシュ通過混合ミキサー等があるが、大掛かりでスペースや大電力を要すわりに濃度が高まらない。水素水生成で例えると原水に予備脱気を施した状態で溶存水素濃度１．３ｐｐｍ、酸化還元電位（以下ＯＲＰという）はマイナス４５０ｍＶ程度が高濃度となっている。本考案装置は、オゾンや水素、二酸化炭素等の気ガスを水や油などの液体に速やかに高濃度に生成することが可能な気液混合装置の提供を目的とする。
【課題を解決するための手段】
【０００４】上記目的を達成するためになされた請求項１の考案に係る気液混合装置は、ポンプ（１）の液吸込部（２）から液体を吸込み、気ガス注入口（３）から気ガスを入れて予備混合する。液吐出口（４）の仕切弁（５）の先に直径２ｍｍ〜５ｍｍの貫通孔のオリフィス（６）を内装したオリフィスミキサー（７）を設けて、その後方０．３ｍ以上離れて圧力調整弁（８）を設けた事を特徴と有する。
【考案の効果】
【０００５】本実施形態の気液混合装置は、ポンプ（１）、オリフィス（６）、圧力調整弁（８）を備えている。ポンプ（１）の液吸込部（２）と気ガス注入口（３）から流入した気液はオリフィス（６）により流れが抑制されてケーシング（９）内部で羽根車（１０）により撹拌混合されて液中に気ガスが溶解する。
流れを抑制されて凝集された高い圧力を有する予備混合された気液はオリフィス（６）の直径２ｍｍ〜５ｍｍの貫通孔へ気液はぶつかりながら高い流速で通過して衝撃分散結合をする。
通過して開放された気液は０．３ｍ以上離れた圧力調整弁（８）により再び任意の圧力で抑制された状態になる。その結果、一度の通過で三つの異なった圧力状況下で液体クラスターが分散撹拌・凝集混合されて多くの気ガスと強く結合し、高い濃度を有するハイドレート（ガスの分子を包み込んだクラスターの結晶構造）になる。
例えば水に水素を毎分３００ＣＣ添加の場合には水素濃度１．８ｐｐｍ、酸化還元電位はマイナス６００ｍＶ以下が生成される。それにより配管内部の清浄化、ポンプや加工材料の清浄効果が見られる。
本装置により生成された水素水は、全量ＰＨは原水同等の安全な水であり、現在の薬品洗浄ならび濯ぎ洗浄による大量汚水排水および無駄な工程を省く事ができる。同時に排水による環境破壊を低減できる。プール・大衆浴場・医療機器や精密機器の洗浄、食品加工、清涼飲料水等の細菌抑制になる。また近年云われる活性酸素は石油をシリンダー内で燃焼した後の燃えカス同様に体内に残る燃えカスで、酸化還元電位がマイナス２５０からマイナス３５０ｍＶの低い水が体内残留カスを除去するとされる（工業調査会、機能水より）。その観点からも還元効果が強く出来る。本考案装置で生成した水は水素濃度２．２ｐｐｍ以下、酸化還元電位はマイナス６５０ｍＶ以下も圧力調整弁（８）設定により自在に可変できる。
気油混合では発電機（排気量１０００ＣＣ）の軽油に水素を毎分５００ＣＣ添加した場合、排気ガスのＣＯ、ＣＯ２が低減した。浄化が確認される。
【考案を実施するための最良の形態】
【０００６】本考案の実施の形態を図１の気液混合装置のフロー図を以って説明する。
ポンプ（１）の液吸込部（２）と気ガス注入口（３）から流入した気液はオリフィス（６）により流れが抑制されてケーシング（９）内部で羽根車（１０）により強く撹拌混合されて気ガスが液中に溶解する。
また流れを抑制されて圧縮された気ガスも液中に溶解しながら凝集された高い圧力を有する予備混合された気液はオリフィス（６）の直径２ｍｍ〜５ｍｍの貫通孔へ気液はぶつかりながら高い流速で通過して衝撃分散結合をする。通過して開放された気液は０．３ｍ以上離れた圧力調整弁（８）との間の部屋で再び圧力調整弁（８）で設定した任意の圧力で抑制されて凝集状態になる。その結果、異条件で繰り返し撹拌混合された気液は強く結合し高い濃度を有する。用途に合わせて圧力調整弁（８）の圧力設定を変える事で気ガス溶解量を可変する事ができる。
【図面の簡単な説明】
【０００７】
【図１】    本考案の気液混合装置のシステムフロー図
【図２】    オリフィスミキサーの斜視断面図
【符号の説明】
【０００８】    １  ポンプ
２  液吸込部
３  気ガス注入口
４  液吐出口
５  仕切弁
６  オリフィス
７  オリフィスミキサー
８  圧力調整弁
９  パッキン
１０  羽根車
【図１】
0003119872.tif 000003
【図２】
0003119872.tif 000004
(57)【要約】      （修正有）【課題】疾病等の影響により足が不整合な動きをする歩行不全者に対し、歩行安全補助具を提供する。【解決手段】伸縮性の強い２本のゴム紐１，２をその各先端部に設けた足指に嵌脱自在な留め具３，４によって固定すると共に、足首部に設けた固定帯５によって一体的に、膝部に設けた固定帯６によって左右に開いて固定し、その上体部を腰部まで引き上げて腰部に繋止して装着することにより、２本のゴム紐の伸縮機能により歩行が用意に、且つ安全が保たれ、転倒等の人身事故の発生の防止に役立つ。【選択図】図２
0003119871.tif 000002
【実用新案登録請求の範囲】
【請求項１】
伸縮性の強い２本のゴム紐（１）（２）の先端部に運動不全の足の足首に嵌脱自在の留め具（３）（４）を設けると共に、足首部に一体にして結ぶ固定帯（５）を、膝部に左右に開いて結ぶ固定帯（６）を設け、その上体部を腰部に繋止して装着することを特徴とする歩行安全補助具。
【考案の詳細な説明】
【技術分野】
【０００１】  本考案は、脳梗塞等脳神経に影響の出る疾病に罹病した後、歩行に当たり、足の筋肉が本人の意思通りに動かず不整合な動きをする為に惹起される転倒等の人身事故を防止し、歩行不全者の安全な歩行を確保する為の歩行安全補助具に関するものである。
【背景技術】
【０００２】  足の筋肉が本人の意思通りに動かず不整合な動きをすることを防ぐための予防具としては、図３に示すプラスチック製の足型装具があり、これを足に装着することにより、足の筋肉の不整合な動きを押さえて歩行の安全を図ることが行われている。
【考案の開示】
【考案が解決しようとする課題】
【０００３】  背景技術で述べた予防具は、足型の中に足を入れて装着するので足の筋肉に起こる部分的な不整合な動きは押さえられるが、日常、常時型を装着することになるので、足の動きに対する労力的負担度、不自由度、不具合度が常に高く感じられる。そこで、足型を装着せず伸縮力の強いゴム紐の機能を足の運動に利用することにより、足の不整合な動きを押さえて、かつ、より楽な足の運動を可能にして前述の欠点を解決しようとするものである。
【課題を解決するための手段】
【０００４】  本校案は、伸縮性の強い２本のゴム紐の各先端部に運動不全な足の足指に嵌脱自在な留め具を設けてこれにより固定すると共に、２本のゴム紐を一体として固定帯で足首に結び、その上部を膝部の固定帯により左右に開いて装着し、上体部を腰部まで引き上げて腰部に繋止して装着することにより、ゴム紐の伸縮性機能が足の運動に活用され、運動不全な足の不整合な動きを押さえ、足型を装着することなく楽に足の運動が出来るようになり、問題点を解決している。
【考案の効果】
【０００５】  上述の様に、本考案の歩行安全補助具は運動不全の足に伸縮性の強いゴム紐の先端を足指に固着し、足首部と膝部を経由して腰部に繋止することにより装着するので、プラスチック製足型の装着と違い常時装着していても負担が感じられず、しかも、ゴム紐の伸縮性機能により足の運動が軽快になり、本人の意思に反する不整合な筋肉の動きも押さえられるので、この為に惹起される転倒等の事故の防止に役立つことができる。【０００６】  プラスチック製足型装具は足首の不調、骨折、切り傷等の障害の場合に足首を固定する為に使用することが主であるので、歩行の場合には足全体を真上に上げなければならず、足首の運動ができないので靴やサンダル等の履き物は使えないが、本考案の歩行安全補助具は装着のまま靴やサンダルを使うことが可能であり行安全補助具は装着のまま靴やサンダルを使うことが可能であり、ズボン等を装着することも支障ないので外出等に当たっても利便性が高い。
【考案を実施するための最良の形態】
【０００７】  ゴム紐先端部に設ける足指への留め具は、固定的に設けるが、足首部と膝部に設ける固定帯は移動調整可能に取り付ける。装着する者の足のサイズに応じ調整可能にすることにより歩行安全の機能効率を上げることができる。また、足首部の固定帯はこれを使用せず、足指留め具によって固定したゴム紐を直接膝部固定帯によって固定して使用することも可能である。【０００８】  膝部に設ける固定帯により、２本のゴム紐が膝の左右に開かれて装着されることにより足の動きが自在となり、安全歩行の効果を高めることとなる。
【実施例】
【０００９】  以下、添付図面に従って一実施例を説明する。１，２は本案の歩行安全補助具の本体を構成する伸縮性の強いゴム紐、３，４はゴム紐の先端部を足指に固定する留め具、５は足首部に一体として固定する固定帯、６は膝部に左右に開いて固定する固定帯である。【００１０】  本考案の一実施例は上述の如き構成からなるものであるから、先端部を３，４の留め具に足指を嵌入して固定したゴム紐１，２を装着者の足のサイズに応じて位置を調整した固定帯５，６により、足首部については一体的に、膝部については左右に開いて固定した後、上体部を腰部に引き上げて腰部に繋止すれば歩行不全の足に密着して本体が装着される。
【図面の簡単な説明】
【００１１】
【図１】本考案の歩行安全補助具の一実施例を示す正面図である。
【図２】本考案の歩行安全補助具を装着した状態の実施例を示す正面図である。
【図３】プラスチック製足型装具の実施例を示す側面図である。
【符号の説明】
【００１２】    １  コム紐
２  ゴム紐
３  足指留め具
４  足指留め具
５  足首部固定帯
６  膝部固定帯
７  プラスチック製足型装具
８  固定バンド
９  留め具
【図１】
0003119871.tif 000003
【図２】
0003119871.tif 000004
【図３】
0003119871.tif 000005
(57)【要約】      （修正有）【課題】取り外しのできるポケットのふたの提供。【解決手段】柔軟性があり、ポケット内に収納できる逆三角形のプレートの上辺に布を縫い付け、プレート部をポケットにいれ布の部分を外に出し使用することで、簡単に取り外しできるので、ファッションアクセサリーとして、ポケットをいろいろな形や色や質のふたで演出できる。【選択図】図１
0003119875.tif 000002
【実用新案登録請求の範囲】
【請求項１】
本考案は、ポケットに収まる程度の内面の平らなプレートにポケットのふたの形をした布を縫い付けたもので、ズボン後部ポケットにプレート部分を差し込むことで、ポケットにふたのついてないズボンを、ふたのついたズボンのように見せることを特徴とする装飾品。
【考案の詳細な説明】
【技術分野】
【０００１】本考案は、ポケットの内面に適する内面のプレートにポケットの形の布を縫い付け、プレート部分をポケットに入れ、布部分を外に出し使用し、ふた付でないポケットをふた付ポケットのようにみせる取り外し可能な飾りに関する。
【背景技術】
【０００２】従来のポケットのふたは、ズボンやコートのポケットの開閉口の上に布が直接縫い付けられているものが主流である。
【考案の開示】
【考案が解決しようとする課題】
【０００３】近年、ズボン後部ポケットにふたのついたズボンが流行しているが、ズボンとポケットが一体化しているので、ズボン自体の種類がたくさんあるので、ポケットのふたのバラエティーを増やすのは難しく、実際同じ布のものが多く形の種類も少ない。【０００４】本考案は、それらの問題を解決しようとするものである。本考案は、取り外しが可能で色や素材も自分で選ぶことができ、お気に入りのズボンを洋服や気分によって、変えることができる、上ほかのズボンとの使い回しもでき、外して洗うことができるのでファーなどをふたの素材に使うこともできる。
【課題を解決するための手段】
【０００５】本考案は、ポケット内に収納でき、かつ着脱しない内面積を有したプレートにふたの形の布を縫いつけ、プレートを差し込んで、布の部分をポケットの外に出し使用することで、ふた付でないズボンをふた付のズボンのようにみせはくことのできる、容易につけ外せる構造である。
【考案の効果】
【０００６】本考案は、通常ズボンにふたを縫い付ける場合と違い、ズボンから取り外しできるので、縫い付ける素材や形を縛られることもなく、自分の好きな柄や形や色のふたを、その時の気分や流行で、自分の好きな形や色のズボンやジャケットのポケットに付け替えられるので、ポケットのふたでオリジナル性を発揮できる効果がある。
【考案を実施するための最良の形態】
【０００７】本考案は、ポケット内に収納でき、かつふたの形の布を縫い付け使用した際、着脱しない内面で、入れやすいように頂点を下に向けた逆三角形で、安定度を高めるために下の二辺を丸く形成されたプレートの、上辺にふたの形の布を縫いつけたもので、プレートの部分をポケットにいれ、布の部分をポケットの外に出して使用する。
【実施例】
【０００８】以下、本考案の実施例を図面に基づいて説明する。本考案は、ポケット内に収納できる内面で、下の二辺に丸みのある逆三角形に形成されたプレート（１）の上辺にふたの形をした布（２）を縫い付けたもので、プレート部をポケットにいれ、布を外に出して使用した際、落下しない構造である。
【産業上の利用可能性】
【００１２】本考案は、平らで柔軟性のあるプレートに布を直接縫い付けるという、簡単な構造なのでユーザーに負担を要しないで安価に供せるものである。
【図面の簡単な説明】
【００１３】
【図１】正面図
【図２】背面図
【図３】ズボンの右後部の着用図
【符号の説明】
【００１４】（１）プレート
（２）ふたの形の布
（３）プレートと布を縫い付けている部位
（４）ポケット
【図１】
0003119875.tif 000003
【図２】
0003119875.tif 000004
【図３】
0003119875.tif 000005
(57)【要約】      （修正有）【課題】煎材ならびに固形砂糖にたばこ状の包装を施し、自動販売機での流通を容易にしたアロマティの提供。【解決手段】アロマティの煎材１ならびに固形砂糖２を包材３で包み、たばこのパッケージと同等の形状４で封入を施し、既存の自動販売機での流通を容易にする事で、消費者に対して購入の選択肢を広げる事を可能とする。【選択図】図１
0003119831.tif 000002
【実用新案登録請求の範囲】
【請求項１】
既存の自動販売機での流通に適応した形状のパッケージを有し、砂糖ならびにアロマティを紙巻きタバコ型に封入を施したもの
【考案の詳細な説明】
【技術分野】
【０００１】本考案は、既存の自動販売機での流通を容易にする形体を備えた、アロマティに関するものである。
【背景技術】
【０００２】喫煙を嗜好としている人々は、香りを楽しむという意味で喫茶の嗜好になじみやすいと思われる。しかし、たばこの自動販売機は主に製造たばこを商品として扱っている為、アロマティ購入の選択肢が現状では存在しない。
【考案の開示】
【考案が解決しようとする課題】
【０００３】たばこの自動販売機は主に喫煙者が利用している為、利用形態が限られている。たばこの自動販売機での流通を容易にする形体を備える事で、アロマティ購入の選択肢が増え、たばこの自動販売機の新たな利用価値を見出す物である。
【課題を解決するための手段】
【０００４】本考案は、アロマティの煎材ならびに固形砂糖に製造たばこ状の包装を施し、たばこのパッケージと同等の形状に封入を施す事で、既存の自動販売機での流通を容易にする。
【考案の効果】
【０００５】たばこの香りを楽しむ喫煙者と、同じく喫茶で香りを楽しむ人々に対して、アロマティの販売が容易になり、購入の選択肢が広がるのと共に自動販売機の新たな利用に役立つ。加えて、同じ自動販売機で購入が可能な事から喫煙者の習慣の移行を促す事も可能。
【考案を実施するための最良の形態】
【０００６】ティカップおよそ１杯分のアロマティ煎材と固形砂糖を紙巻きたばこ状に包装し、製造たばこのパッケージと同等の形状に封入を施す。
【実施例】
【０００７】以下、添付図面に従って一実施例を説明する。１はアロマティの煎材ティカップおよそ１杯分、２は棒状の固形砂糖、３は煎材と固形砂糖を包装したもの、４はたばこと同等の形状に封入を施したパッケージ。
【図面の簡単な説明】
【０００８】
【図１】本考案の一実施例を示す投影図である。
【符号の説明】
【０００９】１  アロマティ煎材
２  固形砂糖
３  たばこ状の包材
４  たばこと同等のパッケージ
【図１】
0003119831.tif 000003
【手続補正書】
【提出日】平成17年11月16日(2005.11.16)
【手続補正１】
【補正対象書類名】実用新案登録請求の範囲
【補正対象項目名】全文
【補正方法】変更
【補正の内容】
【実用新案登録請求の範囲】
【請求項１】
砂糖およびアロマティを紙巻きたばこ型に包装し、さらに、たばこのパッケージ状に封入したパッケージ。
(57)【要約】      （修正有）【課題】テープ転写式平面板表面除塵装置において、ロールｔｏロールの基材セット及びゴムロールのメンテナンスを簡単にする。【解決手段】テープ転写式平面板表面除塵装置内上下ロール間からの上部開口機能を備える事で、基材のセット・ゴムロール等のメンテナンスが容易に行うことができる。【選択図】図１
0003119838.tif 000002
【実用新案登録請求の範囲】
【請求項１】
上部開口型テープ転写式平面板表面除塵装置
テープ転写式平行板表面除塵装置のメンテナンスを簡単にする方法として、請求項２のようなゴムロールの引き出しを行う方法と、本項の装置上部開口型がある。
装置上部が開口することで、ゴムロールのメンテナンスが容易になる。
また、ロールｔｏロールにて加工する材料のクリーニングでは、上部が開口しない従来機種では材料のセットが面倒であったが、上部が開口することでこの作業も容易に行うことが可能になる。
【考案の詳細な説明】
【技術分野】
【０００１】テープ転写式平面板表面除塵装置のメンテナンスの簡易化と作業性の向上に関するものである。
【背景技術】
【０００２】テープ転写式平面板表面除塵装置では、除塵効果維持の為にゴムロール表面の清掃を定期的に行わなければならない。その時、図１の様に上部に開けることで容易に行う事が可能である。【０００３】また、ロールｔｏロールにて加工する材料のクリーニングでは、上部が開口しない従来機種では材料のセットが面倒であったが、上部が開口することでこの作業も容易に行える。（図２）
【考案の開示】
【考案が解決しようとする課題】
【０００４】ゴムロールの定期メンテナンスを簡単に行えるようにする。
ロールｔｏロール材料のクリーニング時のセットが従来機種だと面倒。
【課題を解決するための手段】
【０００５】本考案の上部開口方式を取り入れる事で、ゴムロールのメンテナンスとロールｔｏロール材料のセットが容易に行える。
【考案の効果】
【０００６】メンテナンス時間の短縮。材料セット時間の短縮。
【考案を実施するための最良の形態】
【０００７】上部をガススプリング等にて固定し、手前の取手にて上下の開閉を行えるようにする。
上下の位置だしはＶ字ブロック若しくは、ピンにて行う。（図３）
【産業上の利用可能性】
【０００８】本資料では２連タイプ（ゴムロール本数が上下各２本）であるが、本数を増やして使用する事も可能である。駆動付の機種にも展開が可能である。
【図面の簡単な説明】
【０００９】
【図１】上部開口時
【図２】ロールｔｏロール基材セット時のイメージ図
【図３】開閉時の位置出し例
【符号の説明】
【００１０】▲１▼  上下固定用金具
▲２▼  装置トップカバー
▲３▼  上部駆動側カバー
▲４▼  上部操作側カバー
▲５▼  上側テープ・ロール引出部（取手付き窓）
▲６▼  下側テープ・ロール引出部（取手付き窓）
▲７▼  サイドカバー
▲８▼  ベース板
▲９▼  操作盤
▲１０▼  下部駆動側カバー
▲１１▼  除塵用ゴムロール
▲１２▼  除塵目的用ロールｔｏロール材料
▲１３▼  位置だし用Ｖ字ブロック（オス）
▲１４▼  位置だし用Ｖ字ブロック（メス）
【図１】
0003119838.tif 000003
【図２】
0003119838.tif 000004
【図３】
0003119838.tif 000005
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
上下から挟んで回転する事で、平面材料の表面を除塵する粘着ラバーロールと、更にその表面に吸着した塵を転写保持する粘着テープの組み合わせを持つテープ転写式平面板表面除塵装置において、装置前面に設けた取手を掴んで上へ持ち上げ、ガススプリングでその荷重の保持を行い、上下粘着ラバーロール間の、上側粘着ラバーロールより装置上部を開口させる事ができる、テープ転写式平面板表面除塵装置。
(57)【要約】      （修正有）【課題】子供や女性、老人などの力や握力のない方が容易に、ペットボトルのキャップの開栓ができるキャップオープナーを提供し、保管、陳列も簡単にできるようにする。【解決手段】ペットボトルのキャップオープナーをペットボトルのキャップに装着することでペットボトルのキャップの回転軸をペットボトルのキャップオープナーの外周にかかる小さな力で回転させて開栓できる。また装着した状態で邪魔にならずに保管、陳列できる。【選択図】図４
0003119832.tif 000002
【実用新案登録請求の範囲】
【請求項１】
ペットボトルのキャップオープナー外径はペットボトル外径までを最大のサイズとして、ペットボトルのキャップを開栓後も装着した状態で使用、保管、陳列できることを特徴とするペットボトルのキャップオープナー。
【請求項２】
ペットボトルのキャップオープナー本体の外周部に複数個の指掛部が形成され、把持曲面も形成するペットボトルのキャップオープナー。
【請求項３】
ペットボトルのキャップオープナー本体をペットボトルに装着し、ペットボトルのキャップをペットボトルのキャップオープナーの嵌着穴の縦溝凹凸部によって開栓することを特徴とするペットボトルのキャップオープナー。
【考案の詳細な説明】
【技術分野】
【０００１】本考案は握力のない子供や女性、老人なども容易にペットボトルのキャップを開栓できるキャップオープナーに関するものである。
【背景技術】
【０００２】従来のペットボトルキャップオープナーはペットボトルのキャップ本体をねじ切るための理論だけの道具となっている。
【考案の開示】
【０００３】これに対し容易の力でペットボトルのキャップを開栓する工夫がなされており、例えば特許出願２００２−１０６３４８（特許公開２００３−３００５９７）にペットボトルのキャップオープナーが提案されているが、形態、使用後の問題が残る。
【考案が解決しようとする課題】
【０００４】従来のペットボトルのキャップを開栓するにはキャップの外周部に形成された縦溝凹凸部が細かく滑り易く、力のない子供や女性、老人にとっては開栓が困難となり、大きな力を必要とする問題がある。
【０００５】ペットボトルのキャップオープナーはキャップの開栓後は収納、保管場所を考慮に入れておかないと使用場所、保管が限定され、使用する時に探したりするので必要な時に使えない問題がある。
【課題を解決するための手段】
【０００６】ペットボトルのキャップオープナー外径はペットボトル外径までを最大のサイズとして、ペットボトルのキャップを開栓後も装着した状態で使用、保管、陳列できることを特徴とするペットボトルのキャップオープナー。
【０００７】ペットボトルのキャップオープナー本体の外周部に複数個の指掛部が形成され、把持曲面も形成するペットボトルのキャップオープナー
【０００８】ペットボトルのキャップオープナー本体をペットボトルに装着し、ペットボトルのキャップをペットボトルのキャップオープナーの嵌着穴の縦溝凹凸部によって開栓することを特徴とするペットボトルのキャップオープナー。
【考案の効果】
【０００９】本考案のペットボトルのキャップオープナーは小さな力でペットボトルのキャップの開栓ができ、その構造及び使用方法が非常に簡単であり、一度キャップに装着した状態で開栓前、開栓後も使用することができ、ペットボトルのキャップオープナーの保管の心配がない。そして複数個のペットボトルに装着して保管、陳列も邪魔にならない。
【考案を実施するための最良の形態】
【００１０】ペットボトルのキャップオープナーをペットボトルのキャップに装着させるためにペットボトルのキャップオープナー本体の裏面中央部にペットボトルキャップ体の外周面に形成されている縦溝凹凸部に合わせた嵌脱可能な縦溝凹凸を形成した嵌着穴をつくり固着強度を高める。【００１１】ペットボトルのキャップオープナーの本体の外径は最大ペットボトル幅サイズまでとし、嵌着穴の深さはペットボトルのキャップの高さ（厚み）までとする。これによりペットボトルのキャップオープナーはペットボトルのキャップの外径より大きく、回転モーメントが増幅されて僅かな力で大きな力を得る事ができる。【００１２】ペットボトルのキャップオープナーの形状は掌に包み込み押圧可能な把持曲面を持ち、外周は複数個の指掛部を形成している。この形状によって掌の押圧と複数個の指の力で回転モーメントにより大きな力が生まれる。【００１３】ペットボトルのキャップオープナーの外径は最大ペットボトルの外径までのサイズとし、装着状態でも邪魔にならずに保管、陳列できる。そのために花のデザイン、動物などの形を外周部で求められる複数個の指掛部などの要素がデザインされていれば保管、陳列においても意匠上の効果もある。
【実施例】
【００１４】ペットボトルのキャップオープナーとして単体で見た場合でも、道具としての形からさらに進歩させて機能性と癒しのデザインとを融合させて、子供、女性、老人向けの意匠ができる。【００１５】ペットボトルのキャップオープナーはペットボトルとの組み合わせ販売、陳列ができるために効果的な演出が可能となる。
【図面の簡単な説明】
【００１６】
【図１】キャップオープナーの平面図である。
【図２】キャップオープナーの側面図である。
【図３】キャップオープナーの底面図である。
【図４】キャップオープナーの装着斜視図である。
【図５】キャップオープナーの斜視図である。
【図６】キャップオープナーの底面斜視図である。
【図７】キャップオープナーの装着縦断面図である。
【図８】キャップオープナーを装着して保管、陳列例をしめす斜視図である。
【符号の説明】
【００１７】  １・・把持曲面部
２・・指掛け部
３・・嵌着穴部
４・・縦溝凹凸部
５・・ペットボトル
６・・回転方向
７・・ペットボトルキャップ
【図１】
0003119832.tif 000003
【図２】
0003119832.tif 000004
【図３】
0003119832.tif 000005
【図４】
0003119832.tif 000006
【図５】
0003119832.tif 000007
【図６】
0003119832.tif 000008
【図７】
0003119832.tif 000009
【図８】
0003119832.tif 000010
【手続補正書】
【提出日】平成17年10月25日(2005.10.25)
【手続補正１】
【補正対象書類名】実用新案登録請求の範囲
【補正対象項目名】全文
【補正方法】変更
【補正の内容】
【実用新案登録請求の範囲】
【請求項１】
ペットボトルのキャップオープナー外径はペットボトル外径までを最大のサイズとして、ペットボトルのキャップを開栓後も装着した状態で使用、保管、陳列できることを特徴とするペットボトルのキャップオープナー。
【請求項２】
ペットボトルのキャップオープナー本体の外周部に複数個の指掛部が形成され、把持曲面も形成する請求項１記載のキャップオープナー。
【請求項３】
ペットボトルのキャップオープナー本体をペットボトルに装着し、ペットボトルのキャップをペットボトルのキャップオープナーの嵌着穴の縦溝凹凸部によって開栓することを特徴とする請求項１記載のキャップオープナー。
(57)【要約】【課題】本考案は手品カードをアレンジし手品の要素を保ったままカードの表面に画像・文字等を配置する余白部を設け、親交の機会に宣伝等を行う事を可能とする。【解決手段】本考案は手品カード本体１に、配列を２列に変更した例としての数列２を設け、それにより生じた余白３を利用する事により、手品としての機能を維持した状態で、且つ、３に４を例とする画像・文字等の加工を施す事で、様々な場面での宣伝・販売促進などの製品として役立つ。【選択図】図２
0003119013.tif 000002
【実用新案登録請求の範囲】
【請求項１】
遊戯道具として親交の場にて利用されているカードを５枚用い、各々５枚のカードの表面には別々の数字配列を施し構成すると共に、各々のカードの数字配列領域以外のカードの表面に余白部を設け、この余白部に数字配列以外の画像・文字等を配列したことを特徴とする手品カード。
【考案の詳細な説明】
【技術分野】
【０００１】  本考案は、手品の要素を保った状態で、表面に画像・文字等を配置する余白部を設けたカードに関するものである。
【背景技術】
【０００２】  親交の場において簡易な手品を行う事は多く、手品により話が弾みビジネスに展開する場合も有る。しかし手品カードと商談とを直接関連付けるものがなく、折角のビジネスチャンスを逃してしまう事も少なくない。
【考案の開示】
【考案が解決しようとする課題】
【０００３】  人々を親密な関係に導いた従来の手品カードには、宣伝用のアレンジが出来なかった。加えて、互いの親交からその場で発生しかけた商談が消滅してしまう事は、ビジネスにおいて損失である。従って、手品カードの持つ遊戯機能と自由にアレンジが可能なカードの効果や機能を表面に一体化する事により、ビジネス上の効果が望め、前述の欠点を解決しようとするものである。
【考案が解決するための手段】
【０００４】  遊戯道具として親交の場にて利用されているカードを５枚用い、各々５枚のカードの表面には別々の数字配列を施し構成すると共に、各々のカードの数字配列領域以外のカードの表面に余白部を設け、この表面の余白部に数字配列以外の画像・文字等を配列したことを特徴としている。且つ、従来の手品カードの数列を変更する際も、手品の仕掛けを損なう事なく配列する事により、両者の機能を保つ事を可能とし問題点を解決している。
【考案の効果】
【０００５】  上述の様に、本考案の手品カードは、手品として楽しむ事は勿論、表面への画像・文字の自由なアレンジを可能にしたもので、手品で盛り上がる場において即、宣伝カード・販売促進カードなどの製品としての利用が出来る。これにより、互いの親交から生じるビジネスチャンスを途切れる事なく展開させていく効果が期待出来る。
【考案を実施するための最良の形態】
【０００６】  図柄を主体としたカードという形態上、２列の数列を上下に分けて表面中心に画像を配置する構成が最も美しく且つ数字が見やすい。あるいは２列の数列を上もしくは下にまとめる構成も場合により効果的となる。コピーフレーズ等は控えめに１，２枚に抑える方が好印象であるが、それは先述の通り様々な状況設定上の目的により価値が異なる。それらに対応出来る事も本考案のメリットである。又、縦画面の必然がある際は２列の数列を縦に配置する事で応用が効く事も、アレンジ重視の本考案カードの汎用的活用が可能な点である。更に全ての機能を表面へ表現する形態を確保している事により、印刷等の加工費用を削減する事をも可能にしている。
【実施例】
【０００７】  以下、添付図面に従って一実施例を説明する。図１は既存のマジックカードである。【０００８】  図２の１は一般的に用いられるカード用の厚手の紙等適宜素材にて作成されたカード本体である。２は配列を２列にアレンジした数列で、手品として必須の要素の部分になる。２により３部分の表面の余白が生じ、３部分に例えば４の様な画像・文字等を組み込む事が可能となる。
【産業上の利用可能性】
【図面の簡単な説明】
【０００９】
【図１】既存品として一般に出回っているマジックカードである。
【図２】本考案の手品カードの実施例を示す正面図である。
【符号の説明】
【００１０】  １  カード本体
２  新たな配列の数列部
３  画像・文字等添付可能の表面余白部
４  添付した画像・文字例
【図１】
0003119013.tif 000003
【図２】
0003119013.tif 000004
(57)【要約】【考案の課題】現在、市販されているシャンプーブラシの場合、使用後にブラシ部分に付着した抜け毛を取り除くには、手作業による非効率的な作業や、二重構造の隙間が不潔になる欠点を有しているので、いかに楽に抜け毛を取り除く事が出来るかが問題である。【解決手段】  シャンプーブラシの内側に付着した、抜け毛を容易に取り除ける構造を有するシャンプーブラシを提供する目的において、本体上部に設けてある複数の孔１から流れ落ちる水により抜け毛を落とす、その効果を高める為に設けた水止め突起２により孔から流れ落ちる水量を多くする事により、水流圧を高める事とさらにはシャンプーブラシの内側底部には、抜け毛密着防止の半突起物３を設ける事により、解決手段とした。【選択図】図２
0003119018.tif 000002
【実用新案登録請求の範囲】
【請求項１】
本体は円盤状の上部中央に持ち手を、下部にテーパー状の突起が多数設けて有り、本体上部には下部のテーパー状突起物の空間部分に孔が設けてある仕組みから構成されているシャンプーブラシ。
【考案の詳細な説明】
【技術分野】
【０００１】  シャンプーブラシの内側に付いた抜け毛を簡単に取り除く事が出来るシャンプーブラシ。
【背景技術】
【０００２】  現在市販されている、抜け毛が取れるという二重構造のシャンプーブラシでは、抜け毛が二重構造の中に複雑に入り込んでしまい取れない。【０００３】  二重構造の間が不潔になりやすい。【０００４】  二重構造を有しないシャンプーブラシの場合には、ブラシの合間を綿棒や細い棒状のもので掻き出さなければならなかったが、この技術を使用することにより簡単に抜け毛を流し落とせる。
【考案の開示】
【考案が解決しようとする課題】
【０００５】  現在、市販されているシャンプーブラシの場合、使用後にブラシ部分に付着した抜け毛を取り除くには、手作業による非効率的な作業や二重構造の間が不潔になるのが現状である。この技術を使用することで抜け毛を水で流せて、楽に取り除く事が出来、構造がシンプルな為に不潔にもならない。
【課題を解決するための手段】
【０００６】  本体上部に設けてある複数の孔から流れる水により課題を解決することができる。
【考案の効果】
【０００７】  本考案の『水の力で抜け毛が流れ落ちる』シャンプーブラシを使用後、水道水の下に入れるだけで、水流圧で抜け毛が流れ落ち、大変使い易くいつも清潔さを保て、その効果は抜群である。
【考案を実施するための最良の形態】
【０００８】  シャンプーする場所には必ず、水があり、その水流を利用することで抜け毛を取り除けるので非常に便利である。
【実施例】
【０００９】  シャンプーブラシを使用後に、水道水の下やシャワー水を、シャンプーブラシに当てるだけで簡単に抜け毛を洗い流せる。
【図面の簡単な説明】
【００１０】
【図１】  正面図
【図２】  正面から見た断面図である。
【符号の説明】
【００１２】    １．水の流れる孔
２．水止め突起
３．抜け毛密着防止の半丸突起
４．持ち手
【図１】
0003119018.tif 000003
【図２】
0003119018.tif 000004
(57)【要約】      （修正有）【課題】ターバン装着時に、容易にはずれてしまうことのないターバン。【解決手段】ターバンの中に通すゴムを三段階の太さと長さに区分けし、上部から下部にかけて締まり方に強弱をつける。頭の形に沿うよう丸みをつけ、フィット感を高め、容易にはずれてしまうのを防ぐ。【選択図】図２
0003119017.tif 000002
【実用新案登録請求の範囲】
【請求項１】
筒状に縫われ輪になった布地の中に、三段階の太さと長さのゴムを輪にし、それぞれが独立して縫い込まれことで、締まり方に強弱を備えたことを特徴とするターバン。
【請求項２】
フェイスラインに装着前の形が、台形であることを特長とするターバン。
【考案の詳細な説明】
【技術分野】
【０００１】本考案は、フェイスラインに装着し、顔面に毛髪がかからないようにするターバンに使用する、ゴムの太さと長さ、その締まり方の強弱に関する。
【背景技術】
【０００２】従来のターバンでは、筒状に縫い、輪にした布地の中で輪を成すゴムの太さ、長さ、本数が一定であり、締まり方に強弱がなく、頭頂部に向かってわずかに隙間があり（図１の１′）適度なフィット感が得にくかった。
【考案の開示】
【考案が解決しようとする課題】
【０００３】しかし、それでは装着時、容易にフェイスラインからずり上がるかもしくはずり落ちてしまうため不便であった。
【課題を解決するための手段】
【０００４】そこで、ターバンの中に通すゴムを、太、中、細と区別し長さを変えることにより、締まり方に強弱をつけ、頭の丸みに沿うよう台形とし、適度なフィット感を持たせることで、容易にはずれないターバンを考案した。（図２）
【考案の効果】
【０００５】よって本考案である、リフトターバンにおいては、従来のものより、はるかにはずれにくくなり、毛髪が顔面にかかることなく、快適である。
同時に、頭部に向かい徐々に強くなる適度な締まり方により、顔面のたるみが引き上げられ、顔面のストレッチ効果も得られる。
また、たるみの引き上げと共に、顔面の毛穴が開かれ、使用時の洗顔は、未使用時より、毛穴の奥の汚れが落ち易くなる効果もあり、美容液等の浸透が促進される効果も見込める。
【考案を実施するための最良の形態】
【０００６】本考案に係る美容リフトターバン２０は、（図２）に示すように、ゴムの太さと長さが、三段階に区別されている。
ゴムが細く長い部分１  が、締まり方としては一番ソフトであり、頭皮と顔面の境目であるデリケートなフェイスラインに用いるのに適している。
ゴムの太く短い部分３は、締まり方はややハードであり、頭頂部に向けて、顔面の引き上げを担っている。
素材は、洗顔時や入浴時の使用を考慮し吸水性に優れたタオル地が望ましい。
【図面の簡単な説明】
【０００７】
【図１】従来の一般的なターバンの形状と使用時の形態。
【図２】本考案にかかわるリフトターバンの形状と使用時の形態。
【符号の説明】
【０００８】１′    従来のターバン使用時にできてしまう隙間
１０    従来のターバン
２０    本考案のリフトターバン
１      太く短いゴム使用部位
２      中位の太さ、及び長さのゴム使用部位
３      細く長いゴム使用部位
【図１】
0003119017.tif 000003
【図２】
0003119017.tif 000004
(57)【要約】      （修正有）【課題】馬蹄形錠前の本体を、金属をプレス加工したバンド状の捲着具を用いてフレームに装着する際、フレームの塗装面に食い込まず、傷を付けることのない捲着具を有する馬蹄形錠前の提供。【解決手段】金属をプレス加工したバンド状の捲着具の内側となる面に、樹脂又はゴム製の緩衝材を付着した捲着具を用いる方法により、馬蹄形錠前の本体を、金属をプレス加工したバンド状の捲着具を用いてフレームに装着する際、フレームの塗装面に食い込まず、傷が付かなくなった。【選択図】図１
0003119011.tif 000002
【実用新案登録請求の範囲】
【請求項１】
フレームに装着する際に、金属をプレス加工したバンド状の捲着具にてフレームの表面に傷が付かないように、捲着具の内側となる面に、樹脂製またはゴム製の緩衝材を付着した捲着具を備える自転車用の馬蹄形錠前。
【考案の詳細な説明】
【技術分野】
【０００１】  本考案は、自転車等のフレームに取り付けられる馬蹄形錠前に関する。
【考案の開示】
【背景技術】
【０００２】  一般に、自転車等のフレームに取り付けられる馬蹄形錠前は、錠前本体を、金属をプレス加工したバンド状の捲着具を用いて、フレーム後ろ側の車輪の上部位置に装着される。
捲着具の両端の一方にはビスの貫通孔を設け、もう一方には、ネジ山を貫設し、ナットの役割を担う螺着孔を設け、貫通孔よりビスを通して螺着孔に羅着し、ビスを締め込むことでフレームに捲着する。
【考案が解決しようとする課題】
【０００３】  馬蹄形錠前の本体を捲着具にてフレームに装着する際、捲着具が金属をプレス加工したバンド状の部材であることで、フレームのパイプに捲着する際、ビスを締め込むと捲着具がフレームの塗装面に食い込み、傷が付いてしまう欠点があった。
【０００４】  本考案は、馬蹄形錠前の本体を、金属をプレス加工したバンド状の捲着具を用いてフレームに装着する際、フレームの塗装面に食い込まず、傷を付けることのない捲着具を有する馬蹄形錠前の提供を目的とする。
【課題を解決するための手段】
【０００５】  本考案は、金属をプレス加工したバンド状の捲着具の内側となる面に、樹脂又はゴム製の緩衝材を付着した捲着具を用いる方法を見出した。
【考案の効果】
【０００６】  馬蹄形錠前の本体を、金属をプレス加工したバンド状の捲着具を用いてフレームに装着する際、フレームの塗装面に食い込まず、傷が付かなくなった。
【考案を実施するための最良の形態】
【０００７】  以下に、本考案の馬蹄形錠前について、図面を参考にしながら詳細に説明する。【０００８】  一般に、馬蹄形錠前の本体１を自転車等のフレーム２に装着する際、本体１に固着した捲着具３をフレーム２に捲着する。
図１は、捲着具３の内側となる面に樹脂又はゴム製の緩衝材４を付着した状態を内側となる面から見た図であり、図２は外側から見た図である。この樹脂又はゴム製の緩衝材４を付着した面が、捲着具３をフレーム２に捲着する際、捲着具３とフレーム２の間に挟まり、金属製の件着具３が、直接フレーム２に触れないので、捲着具３を捲着固定するビス５を締めこんでも、フレーム２の塗装面に食い込まず、傷を付けることはない。【０００９】  図３は、緩衝材を付着する前の状態の捲着具３を内側となる面から見た図である。【００１０】  図４は、従来の馬蹄形錠前の本体１をフレーム２に装着した図である。この状態では、捲着具３がフレーム２に直接触れるため、捲着具３をフレーム２に捲着固定するビス５を締め込むと、捲着具３はフレーム２の塗装面に食い込み、傷が付いてしまった。【００１１】  図５は、本考案の馬蹄形錠前の本体１をフレーム２に装した図である。この状態では、捲着具３とフレーム２との間に緩衝材４があるため、捲着具３がフレーム２に直接触れることはなく、フレーム２の塗装面に傷を付けることはない。
【図面の簡単な説明】
【図１】本考案の馬蹄形錠前の捲着具の内側となる面から見た図である。
【図２】本考案の馬蹄形錠前の捲着具の外側となる面から見た図である。
【図３】本考案の馬蹄形錠前の捲着具の緩衝材を付着しない状態の図である。
【図４】従来の馬蹄形錠前をフレームに装着した状態を示す断面図である。
【図５】本考案の馬蹄形錠前をフレームに装着した状態を示す断面図である。
【図６】馬蹄形錠前をフレームに装着した状態の一般的な外観図である。
【符号の説明】
１  本体
２  フレーム
３  捲着具
４  緩衝材
５  ビス
【図１】
0003119011.tif 000003
【図２】
0003119011.tif 000004
【図３】
0003119011.tif 000005
【図４】
0003119011.tif 000006
【図５】
0003119011.tif 000007
【図６】
0003119011.tif 000008
(57)【要約】      （修正有）【課題】砂の抵抗を緩和するアイアンＳＷの提供。【解決手段】アイアンＳＷのボールの当たる部分をクマ手形に改良する。【選択図】図１
0003119079.tif 000002
【実用新案登録請求の範囲】
【請求項１】
ゴルフのアイアンＳＷでゴルフボールの当たる部分がクマ手形の凹凸を持ったアイアンＳＷ。
【考案の詳細な説明】
【技術分野】
【０００１】今までにない新しい形態のゴルフアイアンＳＷ。
【背景技術】
【０００２】ゴルフアイアンＳＷは、ゴルフボールがバンカーに落ちた時使われ、ボールを正確に  ゴルファーの考えた方向に打ち出すことが目的でそのアイアンの形が作られていたが、砂の抵抗を少なくする考えを取り入れた形のアイアンＳＷはまだない。
【考案の開示】
【考案が解決しようとする課題】
【０００３】バンカーに入ってしまったゴルフボールを正確に打ち出すことは、非常に難しい。バンカーの砂に対して、一番適した形のアイアンＳＷを作る。
【課題を解決するための手段】
【０００４】ゴルフアイアンＳＷのゴルフボールが当たる部分にクマ手形の凹凸を付ける。
【考案の効果】
【０００５】アイアンＳＷのゴルフボールが当たる部分をクマ手形の凹凸を付けたことで、スイング時に砂の抵抗が緩和され打球の方向性が正確になる。
【考案が実施されるための形態】
【０００６】アイアンＳＷのゴルフボールの当たる部分をクマ手形の凹凸したアイアンＳＷ。
【実施例１】
【０００７】図１はアイアンＳＷの平面図である。１はアイアンＳＷで、２はゴルフボールの当たる部分である。３はクマ手形にへこませた部分でスイング時に４の空間部分により砂が飛び出し、砂の抵抗が少なくなるので、ボールを正確に押し出すことができる。
【産業上の利用可能性】
【０００８】本考案アイアンＳＷはバンカー時のゴルフボール処理を正確にできるので、利用者が増える。
【図面の簡単な説明】
【０００９】
【図１】      アイアンＳＷの平面図である。
【符号の説明】
【００１０】１      アイアンＳＷヘッド
２      ゴルフボールの当たる凸部
３      ゴルフボールの当たらない凹部
４      砂の抜ける空間
【図１】
0003119079.tif 000003